(57)【要約】【課題】電線の噛み込みを防止する。【解決手段】コネクタは、第１ハウジング１０と、第１ハウジング１０に形成され、第１ハウジング１０の外面との間に確保された撓み空間２３内に進入するように弾性撓みし得るロックアーム１８と、第１ハウジング１０と嵌合可能な第２ハウジング３０と、第２ハウジング３０に形成され、ロックアーム１８と係止することで第１ハウジング１０と第２ハウジング３０を嵌合状態にロックするロック部３３と、第１ハウジング１０の外面におけるロックアーム１８との対向面（ハウジング側対向面１７）を部分的に凹ませた形態のハウジング側凹部２４と、ロックアーム１８における第１ハウジング１０との対向面（アーム側対向面１９）のうち、少なくともハウジング側凹部２４と非対応の領域を凹ませた形態のアーム側凹部２５とを備える。【選択図】図３
2016091757.tif 000002
【特許請求の範囲】
【請求項１】
第１ハウジングと、
前記第１ハウジングに形成され、前記第１ハウジングの外面との間に確保された撓み空間内に進入するように弾性撓みし得るロックアームと、
前記第１ハウジングと嵌合可能な第２ハウジングと、
前記第２ハウジングに形成され、前記ロックアームと係止することで前記第１ハウジングと前記第２ハウジングを嵌合状態にロックするロック部と、
前記第１ハウジングの外面における前記ロックアームとの対向面を部分的に凹ませた形態のハウジング側凹部と、
前記ロックアームにおける前記第１ハウジングとの対向面のうち、少なくとも前記ハウジング側凹部と非対応の領域を凹ませた形態のアーム側凹部とを備えていることを特徴とするコネクタ。
【請求項２】
前記第１ハウジングを前記第２ハウジングとの嵌合方向に見たときの正面形状が、略円形とされており、
前記第１ハウジングの内部には、複数のキャビティが略方形領域内において整列するように形成され、
前記第１ハウジングの外面には、前記第１ハウジングの正面形状と前記複数のキャビティの形成領域との形状の相違に起因する段差状凹部が形成され、
前記段差状凹部に前記ロックアームと前記撓み空間が配され、
前記第１ハウジングにおける前記ロックアームとの前記対向面には、一対の前記ハウジング側凹部を区画するハウジング側凸部が、幅方向中央部において前記ロックアーム側へ突出するように形成され、
前記アーム側凹部が、前記ハウジング側凸部と対応するように幅方向中央部に配されていることを特徴とする請求項１記載のコネクタ。
【請求項３】
前記第１ハウジングには、前記撓み空間を両側から挟むように配置された一対の壁部が形成されていることを特徴とする請求項１又は請求項２記載のコネクタ。
【請求項４】
前記ロックアームには、前記ロックアームを前記ロック部との係止から解除させる際に押し操作される操作部が形成され、
前記壁部は、前記操作部と対応する領域を他の領域よりも低くした形態であることを特徴とする請求項３記載のコネクタ。
【請求項５】
前記第１ハウジングの内部には、前記第１ハウジングの後端面に開口するキャビティが形成され、
前記第１ハウジングにおける前記ロックアームとの対向面には、隣り合う２つの前記ハウジング側凹部を区画するハウジング側凸部が形成されており、
前記ハウジング側凸部の形成領域が、前記第１ハウジングの後端部に達する範囲とされていることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、雄ハウジングと雌ハウジングとを嵌合する過程で、雄ハウジングに形成したロック部が弾性撓みし、両ハウジングが正規嵌合するとロック部が弾性復帰して雌ハウジングのロック開口に係止、この係止作用によって両ハウジングが嵌合状態にロックされるコネクタが開示されている。
【先行技術文献】
【特許文献】
【０００３】
【特許文献１】特開平９−３３０７６９号公報
【発明の概要】
【発明が解決しようとする課題】
【０００４】
上記のコネクタでは、ロック部が雄ハウジングの外面に露出して形成され、雄ハウジングの外面とロック部との間に、ロック部を弾性撓みさせるための撓み空間が空いている。そのため、他のコネクタに取り付けられている電線が、雄ハウジングの外面とロック部との間の撓み空間に噛み込んで、その電線が引っ張られたときに、ロック部に過大な応力が作用することが懸念される。電線の噛み込みを回避するためには、撓み空間を狭くすれば良いのであるが、そうすると、ロック部の撓み代が十分に確保されず、ひいては、ロック部とロック開口との係止代が小さくなって、ロック機能の信頼性を低下させることになる。
【０００５】
本発明は上記のような事情に基づいて完成されたものであって、電線の噛み込みを防止することを目的とする。
【課題を解決するための手段】
【０００６】
本発明のコネクタは、
第１ハウジングと、
前記第１ハウジングに形成され、前記第１ハウジングの外面との間に確保された撓み空間内に進入するように弾性撓みし得るロックアームと、
前記第１ハウジングと嵌合可能な第２ハウジングと、
前記第２ハウジングに形成され、前記ロックアームと係止することで前記第１ハウジングと前記第２ハウジングを嵌合状態にロックするロック部と、
前記第１ハウジングの外面における前記ロックアームとの対向面を部分的に凹ませた形態のハウジング側凹部と、
前記ロックアームにおける前記第１ハウジングとの対向面のうち、少なくとも前記ハウジング側凹部と非対応の領域を凹ませた形態のアーム側凹部とを備えているところに特徴を有する。
【発明の効果】
【０００７】
第１ハウジングの外面とロックアームとの間の撓み空間は、ハウジング側凹部とアーム側凹部を形成したことにより、ラビリンス状に屈曲した形状をなしている。したがって、電線の噛込み防止のために、ハウジング側の対向面のうちハウジング側凹部が形成されていない領域と、ロックアーム側の対向面のうちアーム側凹部が形成されていない領域との間隔を狭くしても、ロックアームの撓み代を十分に確保することができる。
【図面の簡単な説明】
【０００８】
【図１】実施例１のコネクタを構成する第１ハウジングの側面図
【図２】第１ハウジングと第２ハウジングが嵌合状態にロックされている様子をあらわす側断面図
【図３】図２のＸ−Ｘ線断面図
【図４】第１ハウジングと第２ハウジングの離脱過程をあらわす側断面図
【図５】図４のＹ−Ｙ線断面図
【発明を実施するための形態】
【０００９】
（１）本発明のコネクタは、
前記第１ハウジングを前記第２ハウジングとの嵌合方向に見たときの正面形状が、略円形とされており、
前記第１ハウジングの内部には、複数のキャビティが略方形領域内において整列するように形成され、
前記第１ハウジングの外面には、前記第１ハウジングの正面形状と前記複数のキャビティの形成領域との形状の相違に起因する段差状凹部が形成され、
前記段差状凹部に前記ロックアームと前記撓み空間が配され、
前記第１ハウジングにおける前記ロックアームとの前記対向面には、一対の前記ハウジング側凹部を区画するハウジング側凸部が、幅方向中央部において前記ロックアーム側へ突出するように形成され、
前記アーム側凹部が、前記ハウジング側凸部と対応するように幅方向中央部に配されていてもよい。
この構成によれば、第１ハウジングの正面形状が略円形であり、複数のキャビティの形成領域が略方形であるという形状の相違に着目し、ハウジング側凸部とアーム側凹部を、幅方向中央部に配した。段差状凹部の底面を基準とする第１ハウジングの略円形の外周形状との寸法差は、幅方向中央部で最大となる。したがって、ハウジング側凸部の高さ寸法とアーム側凹部の深さ寸法を、十分に大きく確保することができる。
【００１０】
（２）本発明のコネクタは、
前記第１ハウジングに、前記撓み空間を両側から挟むように配置された一対の壁部が形成されていてもよい。
この構成によれば、壁部によって撓み空間への異物の侵入を防止できる。
【００１１】
（３）本発明のコネクタは、（２）において、
前記ロックアームには、前記ロックアームを前記ロック部との係止から解除させる際に押し操作される操作部が形成され、
前記壁部は、前記操作部と対応する領域を他の領域よりも低くした形態であってもよい。
この構成によれば、操作部を押し操作する際に、作業者の指が壁部と干渉し難くなるので、ロック解除の作業性が良好となる。
【００１２】
（４）本発明のコネクタは、
前記第１ハウジングの内部には、前記第１ハウジングの後端面に開口するキャビティが形成され、
前記第１ハウジングにおける前記ロックアームとの対向面には、隣り合う２つの前記ハウジング側凹部を区画するハウジング側凸部が形成されており、
前記ハウジング側凸部の形成領域が、前記第１ハウジングの後端部に達する範囲とされていてもよい。
この構成によれば、キャビティとハウジング側凹部とを区画する外壁の厚さや、この外壁に連なってキャビティ同士を区画する隔壁の厚さが薄くても、ハウジング側凸部によって外壁や隔壁が補強される。
【００１３】
＜実施例１＞
以下、本発明を具体化した実施例１を図１〜図５を参照して説明する。本実施例１のコネクタは、合成樹脂製の第１ハウジング１０と、合成樹脂製の第２ハウジング３０とを備えて構成されている。両ハウジング１０，３０は、第１ハウジング１０に一体形成したロックアーム１８と、第２ハウジング３０に一体形成したロック部３３との係止作用によって、正規の嵌合状態にロックされるようになっている。
【００１４】
第１ハウジング１０は、その前端（図１，２，４における左側の端部）から後端に亘って形成された端子収容部１１と、端子収容部１１の前端側領域を包囲する筒状嵌合部１２とを一体に形成して構成されている。第１ハウジング１０のうち筒状嵌合部１２が形成されている前端側領域は、全体として軸線を前後方向（図１，２，４における左右方向）に向けた略円柱形をなしている。この前後方向の軸線は、両ハウジング１０，３０の嵌合方向と平行である。したがって、図３，５に示すように、第１ハウジング１０を両ハウジング１０，３０の嵌合方向と平行に見たときの正面形状は、略円形である。筒状嵌合部１２の後端部は端子収容部１１の外面に連なって支持されている。そして、端子収容部１１の外周の前端側領域と筒状嵌合部１２との間の空間は、後述する第２ハウジング３０のフード部３２を嵌入させるための嵌入空間１３となっている。
【００１５】
第１ハウジング１０（端子収容部１１）の内部には、第１ハウジング１０の後端面に開口する４つのキャビティ１４が形成されている。４つのキャビティ１４のうち３室には、第１ハウジング１０の後方（図１，２，４における右方）から雌端子金具（図示省略）が挿入されるようになっている。図３，５に示すように、４つのキャビティ１４は、上下方向及び左右方向（つまり、両ハウジング１０，３０の嵌合方向と直交する二次元方向）において縦横に整列して配置されている。したがって、４つのキャビティ１４の形成領域は、略方形であり、第１ハウジング１０の正面形状である略円形の範囲内である。
【００１６】
この第１ハウジング１０（筒状嵌合部１２）の正面形状と、４つのキャビティ１４（端子収容部１１）の略方形の形成領域との形状の相違により、第１ハウジング１０（端子収容部１１）の外面（上面）には、図２に示すように、段差状凹部１５が形成されている。前後方向における段差状凹部１５の形成領域は、第１ハウジング１０の前端部を除いた広い範囲（つまり、第１ハウジング１０のほぼ全領域）に亘っている。筒状嵌合部１２には、段差状凹部１５の前端側領域を外部へ開放させるための切欠部１６が形成されている。第１ハウジング１０の上面（外面）のうち段差状凹部１５が形成されている領域は、ロックアーム１８との対向するハウジング側対向面１７となっている。
【００１７】
この段差状凹部１５には、前後方向に細長く延びた形態のロックアーム１８が配されている。ロックアーム１８における第１ハウジング１０（ハウジング側対向面１７）と対向する面は、アーム側対向面１９となっている。アーム側対向面１９の長さ方向における略中央部には脚部２０が形成され、ロックアーム１８は脚部２０を介してハウジング側対向面１７に支持されている。ロックアーム１８は、脚部２０を支点としてシーソー状に弾性撓みし得るようになっている。図２，３に示すように、ロックアーム１８が弾性撓みしていない自由状態であるときには、アーム側対向面１９がハウジング側対向面１７と略平行をなして対向している。
【００１８】
アーム側対向面１９の前端部には、ロック突起２１が形成されている。ロックアーム１８の後端部は、ロックアーム１８をロック解除方向へ弾性撓みさせる際に作業者が押し操作するための操作部２２となっている。ロックアーム１８（操作部２２）の後端は、第１ハウジング１０（ハウジング側対向面１７）の後端よりも前方に位置している。
【００１９】
第２ハウジング３０は、端子保持部３１と、端子保持部３１の前端部外周縁から前方（図２，４における右方）へ略円筒状に延出するフード部３２を一体に形成して構成されている。端子保持部３１には、複数の雄端子金具（図示省略）が保持されている。フード部３２内には、雄端子金具の先端のタブ（図示省略）が、雌端子金具と対向する配置で収容されている。フード部３２の上面には、突起状のロック部３３が形成されている。
【００２０】
第１ハウジング１０と第２ハウジング３０を嵌合する過程では、フード部３２が嵌入空間１３内に進入し、ロック突起２１がロック部３３と干渉することにより、ロックアーム１８が、その前端部をハウジング側対向面１７から遠ざけるように弾性撓みしてロック解除姿勢となる。このとき、ハウジング側対向面１７とアーム側対向面１９との間の空間のうち、脚部２０よりも後方でロックアーム１８の後端よりも前方の領域は、ロックアーム１８がロック解除姿勢へ弾性撓みすることを許容するための撓み空間２３として機能する。そして、両ハウジング１０，３０が正規の嵌合状態に至ると、ロックアーム１８が弾性復帰し、ロック突起２１とロック部３３とが係止する。この係止作用により、両ハウジング１０，３０が、嵌合状態にロックされ、離脱を規制される。
【００２１】
また、嵌合状態の両ハウジング１０，３０を離脱する際には、ロックアーム１８の操作部２２をアーム側対向面１９とは反対側から押し操作する。すると、ロックアーム１８が弾性撓みさせられてロック解除姿勢へ変位するので、ロック突起２１がロック部３３から解離する。このようにロック突起２１とロック部３３との係止が解除された状態のまま、両ハウジング１０，３０を引き離せば、両ハウジング１０，３０を離脱させることができる。
【００２２】
本実施例のコネクタでは、ロックアーム１８が第１ハウジング１０の外面に露出して形成され、第１ハウジング１０の外面とロックアーム１８との間に、ロックアーム１８を弾性撓みさせるための撓み空間２３が空いている。そのため、他のコネクタに取り付けられている電線等（図示省略）が、この撓み空間２３内に噛み込むことが懸念される。もし、撓み空間２３に噛み込んだ電線等が引っ張られると、ロックアーム１８には通常のロック動作及びロック解除動作で弾性撓みする方向（ロック解除方向）とは反対側へ変形させられようとする。また、電線等から受ける外力が強いと、ロックアーム１８には過大な応力が作用することになる。
【００２３】
撓み空間２３への電線等の噛み込みを回避するためには、ロックアーム１８の撓み方向における撓み空間２３の寸法（つまり、ハウジング側対向面１７とアーム側対向面１９の対向間隔）を小さくすれば良い。しかし、撓み空間２３を狭めると、ロックアーム１８の撓み代が十分に確保されず、ひいては、ロックアーム１８とロック部３３との係止代が小さくなり、ロック機能の信頼性を低下させることになる。
【００２４】
この対策として、本実施例のコネクタでは、第１ハウジング１０のハウジング側対向面１７に左右対称な一対のハウジング側凹部２４を形成するとともに、ロックアーム１８のアーム側対向面１９にアーム側凹部２５を形成している。図５に示すように、一対のハウジング側凹部２４は、ハウジング側対向面１７を凹ませた形態である。前後方向におけるハウジング側凹部２４の形成領域は、ハウジング側対向面１７のうち筒状嵌合部１２よりも後方の領域である。つまり、ハウジング側凹部２４は、筒状嵌合部１２の後端から第１ハウジング１０（ハウジング側対向面１７の後端）に亘って連続して形成されている。一対のハウジング側凹部２４は、幅方向（両ハウジング１０，３０の嵌合方向及びロックアーム１８の弾性撓み方向の両方向に対して交差する方向）に間隔を空けて並ぶように配されている。
【００２５】
また、ハウジング側対向面１７のうち一対のハウジング側凹部２４の間の領域は、ロックアーム１８側向かってリブ状に突出した形態となっている。このリブ状に突出した領域は、一対のハウジング側凹部２４を区画するハウジング側凸部２６となっている。前後方向におけるハウジング側凸部２６の形成範囲は、ハウジング側凹部２４と同じである。つまり、ハウジング側凸部２６は、筒状嵌合部１２の後端から第１ハウジング１０（ハウジング側対向面１７）の後端に亘り、前後方向に連続して細長く延びた形態である。
【００２６】
幅方向におけるハウジング側凸部２６の形成領域は、ハウジング側対向面１７（端子収容部１１）の幅方向中央位置である。上下左右に整列配置された４つのキャビティ１４のうち上側の２つのキャビティ１４と、段差状凹部１５とは、外壁１４Ａによって区画されているのであるが、ハウジング側凸部２６は、この外壁１４Ａから突出した形態となっている。また、４つのキャビティ１４のうち右側のキャビティ１４と左側のキャビティ１４は、隔壁１４Ｂによって区画されているのであるが、ハウジング側凸部２６は、幅方向においてこの隔壁１４Ｂと対応するように配置されている。
【００２７】
アーム側凹部２５は、アーム側対向面１９を溝状に凹ませた形態であり、前後方向に細長く延びた形態である。幅方向におけるアーム側凹部２５の形成範囲は、ハウジング側凸部２６の全幅領域と、ハウジング側凸部２６の左右両側の領域（つまり、ハウジング側凹部２４のうちハウジング側凸部２６に沿った領域）とに対応する領域である。前後方向におけるアーム側凹部２５の形成領域は、ロックアーム１８の後端部の限定された範囲である。つまり、ロックアーム１８がロック解除姿勢になったときに、ハウジング側凸部２６と干渉し得る範囲に留めている。
【００２８】
また、ロックアーム１８がロック解除姿勢では、アーム側対向面１９が、ハウジング側凸部２６の上面に対して斜めになるので、アーム側対向面１９を基準とするアーム側凹部２５の深さは、ロックアーム１８の後端で最も深く、前方ほど浅くなっている。この形状設定により、ロックアーム１８の弾性撓み量が最大になったときには、アーム側凹部２５の上面とハウジング側凸部２６の上面とが面当たりするようになっている。
【００２９】
アーム側対向面１９のうちアーム側凹部２５が形成されていない領域は、一対のハウジング側凹部２４と対応する左右対称な一対のアーム側凸部２７となっている。このアーム側凸部２７は、ハウジング側凸部２６と非対応の領域に配されている。各アーム側凸部２７の幅寸法は、アーム側凹部２５の幅寸法に比べて十分に大きい寸法に設定されている。この幅寸法の設定は、アーム部を含む第１ハウジング１０を射出成形する際に、比較的肉薄のロックアーム１８における溶融樹脂の流れを良好にするために好適である。
【００３０】
また、第１ハウジング１０の上面には、ハウジング側凹部２４の上面から立ち上がる左右対称な一対の壁部２８が形成されている。一対の壁部２８は、ハウジング側対向面１７の左右両側縁に配され、左右両側からロックアーム１８と撓み空間２３を挟むように位置している。前後方向における壁部２８の形成領域は、筒状嵌合部１２の後端から、ロックアーム１８の後端と対応する位置に亘る範囲である。また、壁部２８のうち操作部２２と対応する後端部においては、そのハウジング側凹部２４の上面を基準とする高さが、後方に向かって次第に低くなるように傾斜している。
【００３１】
次に、本実施例の作用を説明する。図２，３に示すように、ロックアーム１８が弾性撓みしていない自由状態にあるとき、ハウジング側凸部２６の上面とアーム側凸部２７の下面との間における上下方向（ロックアーム１８の弾性撓み方向）の間隔は、撓み空間２３への噛み込みが想定される電線等の異物よりも小さい寸法である。そして、このハウジング側凸部２６とアーム側凸部２７の上下間隔は、正常な両ハウジング１０，３０の嵌合過程におけるロックアーム１８の弾性撓み量よりも小さい。
【００３２】
しかし、ハウジング側対向面１７には、アーム側凸部２７と対応するハウジング側凹部２４が形成され、アーム側対向面１９には、ハウジング側凸部２６と対応するアーム側凹部２５が形成されている。そして、ロックアーム１８が自由状態であるとき、ハウジング側凸部２６とアーム側凸部２７との上下対向間隔と、ハウジング側凹部２４とアーム側凸部２７との上下対向間隔は、いずれも、正常な両ハウジング１０，３０の嵌合過程におけるロックアーム１８の弾性撓み量よりも大きく設定されている。したがって、両ハウジング１０，３０の嵌合過程でロックアーム１８が弾性撓みする際に、ハウジング側対向面１７とアーム側対向面１９が干渉することがなく、ロックアーム１８の弾性撓みが支障なく行われる。
【００３３】
本実施例のコネクタは、第１ハウジング１０と、第１ハウジング１０と嵌合可能な第２ハウジング３０とを有する。第１ハウジング１０には、第１ハウジング１０の外面との間に確保された撓み空間２３内に進入するように弾性撓みし得るロックアーム１８が形成されている。第２ハウジング３０には、ロックアーム１８と係止することで両ハウジング１０，３０を嵌合状態ロックするロック部３３が形成されている。そして、第１ハウジング１０の外面におけるロックアーム１８との対向面（ハウジング側対向面１７）には、その一部を部分的に凹ませた形態のハウジング側凹部２４が形成されている。一方、ロックアーム１８における第１ハウジング１０との対向面（アーム側対向面１９）には、その少なくともハウジング側凹部２４と非対応の領域を凹ませた形態のアーム側凹部２５が形成されている。
【００３４】
この構成によれば、第１ハウジング１０の外面とロックアーム１８との間の撓み空間２３は、ハウジング側凹部２４とアーム側凹部２５を形成したことにより、ラビリンス状に屈曲した形状をなしている。したがって、電線等の噛込み防止のために、ハウジング側対向面１７のうちハウジング側凹部２４が形成されていない領域（ハウジング側凸部２６）と、ロックアーム１８側対向面のうちアーム側凹部２５が形成されていない領域（アーム側凸部２７）との間隔を狭くしても、ロックアーム１８の撓み代を十分に確保することができる。
【００３５】
また、第１ハウジング１０を第２ハウジング３０との嵌合方向に見たときの正面形状が、略円形とされており、第１ハウジング１０の内部には複数のキャビティ１４が略方形領域内において整列するように形成されている。そして、第１ハウジング１０の外面には、第１ハウジング１０の正面形状と複数のキャビティ１４の形成領域との形状の相違に起因する段差状凹部１５が形成され、この段差状凹部１５にロックアーム１８と撓み空間２３が配されている。さらに、第１ハウジング１０におけるロックアーム１８との対向面（ハウジング側対向面１７）には、一対のハウジング側凹部２４を区画するハウジング側凸部２６が、幅方向中央部においてロックアーム１８側へ突出するように形成されており、アーム側凹部２５が、ハウジング側凸部２６と対応するように幅方向中央部に配されている。
【００３６】
つまり、本実施例では、第１ハウジング１０の正面形状が略円形であり、複数のキャビティ１４の形成領域が略方形であるという形状の相違に着目し、ハウジング側凸部２６とアーム側凹部２５を、幅方向中央部に配した。段差状凹部１５の上面（底面）を基準とする第１ハウジング１０の略円形の外周形状との寸法差は、幅方向中央部で最大となる。したがって、ハウジング側凸部２６の高さ寸法とアーム側凹部２５の深さ寸法を、十分に大きく確保することができた。
【００３７】
また、第１ハウジング１０には、撓み空間２３を両側から挟むように配置された一対の壁部２８が形成されているので、壁部２８によって撓み空間２３への異物の侵入を防止できる。また、ロックアーム１８には、ロックアーム１８をロック部３３との係止から解除させる際に押し操作される操作部２２が形成されていることに着目し、壁部２８は、操作部２２と対応する領域を他の領域よりも低くした形態となっている。これにより、操作部２２を押し操作する際に、作業者の指が壁部２８と干渉し難くなので、ロック解除の作業性が良好となる。
【００３８】
また、第１ハウジング１０の内部には、第１ハウジング１０の後端面に開口するキャビティ１４が形成されている。そして、第１ハウジング１０におけるロックアーム１８との対向面（ハウジング側対向面１７）には、隣り合う２つのハウジング側凹部２４を区画するハウジング側凸部２６が形成され、このハウジング側凸部２６の形成領域は、第１ハウジング１０の後端部に達する範囲とされている。この構成によれば、キャビティ１４とハウジング側凹部２４とを区画する外壁１４Ａの厚さや、この外壁１４Ａに連なってキャビティ１４同士を区画する隔壁１４Ｂの厚さが薄くても、ハウジング側凸部２６によって外壁１４Ａや隔壁１４Ｂが補強されている。
【００３９】
＜他の実施例＞
本発明は上記記述及び図面によって説明した実施例に限定されるものではなく、例えば次のような実施例も本発明の技術的範囲に含まれる。
（１）上記実施例では、ハウジング側凸部の幅寸法よりもアーム側凹部の幅寸法を大きくしたが、ハウジング側凸部の幅寸法とアーム側凹部の幅寸法をほぼ同じ寸法としてもよい。このようにすれば、ロックアームが弾性撓みする過程で、ハウジング側凸部とアーム側凹部との摺接によって、ガイド機能を発揮させることができる。
（２）上記実施例では、第１ハウジングに撓み空間を両側から挟む一対の壁部を形成したが、このような壁部を形成しない形態としてもよい。
（３）上記実施例では、壁部が操作部と対応する領域を他の領域よりも低くした形態であるが、壁部は全領域に亘って一定の高さであってもよい。
（４）上記実施例では、ハウジング側凸部の形成領域が第１ハウジングの後端部に達するようにしたが、ハウジング側凸部の形成領域は第１ハウジングの後端よりも前方の位置、あるいは、ロックアームの後端よりも前方の位置であってもよい。
（５）上記実施例では、ロックアームがシーソー状に傾動撓みする形態としたが、ロックアームは、嵌合方向における後方へ片持ち状に延出した形態や、両端が第１ハウジングの外面に支持された両持ち梁形態であってもよい。
（６）上記実施例では、２つのハウジング側凹部を形成したが、ハウジング凹部の数は、１つでもよく、３つ以上でもよい。
（７）上記実施例では、１つのアーム側凹部を形成したが、アーム側凹部の数は、複数であってもよい。
（８）上記実施例では、第１ハウジングを第２ハウジングとの嵌合方向に見た正面形状が略円形であるが、第１ハウジングの正面形状は略方形でもよい。
【符号の説明】
【００４０】
１０…第１ハウジング
１４…キャビティ
１５…段差状凹部
１７…ハウジング側対向面（対向面）
１８…ロックアーム
１９…アーム側対向面（対向面）
２２…操作部
２３…撓み空間
２４…ハウジング側凹部
２５…アーム側凹部
２６…ハウジング側凸部
２８…壁部
３０…第２ハウジング
３３…ロック部
【図１】
2016091757.tif 000003
【図２】
2016091757.tif 000004
【図３】
2016091757.tif 000005
【図４】
2016091757.tif 000006
【図５】
2016091757.tif 000007